(57)【要約】【課題】携帯情報端末において、例えば入力ペンの使用状況や使用者の利き手などに応じて、端末本体の動作モードを適切に変更する。【解決手段】携帯情報端末は、端末本体（１００）及びこの端末本体に情報を入力するための入力ペン（２００）を備える。入力ペンは、当該入力ペンの動作状態を検出する検出手段（２１０、２２０）を備え、端末本体は、検出手段によって検出された動作状態に応じて、当該端末本体の動作モードを選択する選択手段（１５１）を備える。【選択図】図２
2011232806.tif 000002
【特許請求の範囲】
【請求項１】
端末本体及び該端末本体に情報を入力するための入力ペンを備えた携帯情報端末であって、
前記入力ペンは、当該入力ペンの動作状態を検出する検出手段を備え、
前記端末本体は、前記検出手段によって検出された動作状態に応じて、当該端末本体の動作モードを選択する選択手段を備える
ことを特徴とする携帯情報端末。
【請求項２】
前記端末本体は、電源部を備え、
前記選択手段は、前記検出手段によって検出された動作状態に基づいて、前記入力ペンが使用中であるか否かを判定する第１判定手段を有し、該第１判定手段によって前記入力ペンが使用中でないと判定した場合には、前記動作モードとして、前記電源部の少なくとも一部がオフ状態となる低電力モードを選択し、
前記端末本体は、前記選択手段によって前記動作モードとして前記低電力モードが選択された場合には、前記電源部の少なくとも一部がオフ状態となるように、前記電源部を制御する電源制御手段を更に備える
ことを特徴とする請求項１に記載の携帯情報端末。
【請求項３】
前記端末本体は、操作画面を表示する表示部を備え、
前記選択手段は、前記検出手段によって検出された動作状態に基づいて、前記入力ペンを使用している使用者の利き手を判定する第２判定手段を有し、該第２判定手段によって判定した利き手に応じて、前記動作モードとして、右利きモード又は左利きモードを選択し、
前記端末本体は、前記選択手段によって前記右利きモードが選択された場合には、前記表示部が右利き用の操作画面を表示するように、且つ、前記選択手段によって前記左利きモードが選択された場合には、前記表示部が左利き用の操作画面を表示するように、前記表示部を制御する表示制御手段を更に備える
ことを特徴とする請求項１又は２に記載の携帯情報端末。
【請求項４】
前記端末本体は、操作部を備え、
前記選択手段は、前記検出手段によって検出された動作状態に基づいて、前記入力ペンを使用している使用者の利き手を判定する第２判定手段を有し、該第２判定手段によって判定された利き手に応じて、前記動作モードとして、右利きモード又は左利きモードを選択し、
前記端末本体は、前記選択手段によって前記右利きモードが選択された場合には、前記操作部に右利き用の操作機能を割り当てると共に、前記選択手段によって前記左利きモードが選択された場合には、前記操作部に左利き用の操作機能を割り当てる割当手段を更に備える
ことを特徴とする請求項１又は２に記載の携帯情報端末。
【請求項５】
前記検出手段は、前記入力ペンの加速度を検出する加速度センサー及び前記入力ペンの姿勢を検出する姿勢センサーの少なくとも１つを有することを特徴とする請求項１から４のいずれか一項に記載の携帯情報端末。
【発明の詳細な説明】
【技術分野】
【０００１】
本発明は、携帯情報端末の技術分野に関する。
【背景技術】
【０００２】
この種の携帯情報端末として、例えばスタイラスペンなどのペン型の入力装置（以下、「入力ペン」と適宜称する）によって端末本体に情報を入力するものが知られている（例えば特許文献１及び２参照）。
【０００３】
例えば特許文献１には、入力ペンに設けられた加速度センサーや圧電振動ジャイロによって検出される文字入力動作を画像データとして認識し、この画像データと基準文字データとを比較照合することにより文字認識を行う技術が開示されている。例えば特許文献２には、端末本体に設けられた加速度センサーによって検出される端末本体の傾きと、端末本体の使用状態とに応じて、端末本体の表示制御を行う技術が開示されている。
【先行技術文献】
【特許文献】
【０００４】
【特許文献１】特開平１０−７８８４１号公報
【特許文献２】特開平９−８１３０５号公報
【発明の概要】
【発明が解決しようとする課題】
【０００５】
上述したような携帯情報端末では、入力ペンによる情報の入力を常に可能とするために、情報が入力されないときにも端末本体を待機状態で維持する（即ち、端末本体の電源をオン状態で維持する）ことにより、無駄な消費電力が発生してしまい、電源である電池の寿命が低下してしまうおそれがあるという技術的問題点がある。一方、入力ペンによる情報の入力を行わないときには、使用者が手動で端末本体の電源をオフ状態にすることにより無駄な消費電力の発生を低減できるものの、この場合、使用者に手間がかかり、使用者の思考を妨げてしまうおそれがあるという技術的問題点がある。
【０００６】
更に、端末本体のユーザーインターフェースが右利きの使用者向けのものである場合、左利きの使用者にとって利便性が低いという技術的問題点もある。
【０００７】
本発明は、例えば上述した問題点に鑑みなされたものであり、例えば入力ペンの使用状況や使用者の利き手などに応じて、端末本体の動作モードを適切に変更することが可能な携帯情報端末を提供することを課題とする。
【課題を解決するための手段】
【０００８】
本発明の携帯情報端末は上記課題を解決するために、端末本体及び該端末本体に情報を入力するための入力ペンを備えた携帯情報端末であって、前記入力ペンは、当該入力ペンの動作状態を検出する検出手段を備え、前記端末本体は、前記検出手段によって検出された動作状態に応じて、当該端末本体の動作モードを選択する選択手段を備える。
【０００９】
本発明の携帯情報端末によれば、例えば表示領域において表示を行う表示部及び該表示領域における例えばスタイラスペン等である入力ペンの位置を検出可能な例えばデジタイザー等の位置検出手段を有する端末本体に、入力ペンによって情報を入力することができる。
【００１０】
本発明では特に、入力ペンの動作状態（例えば入力ペンの姿勢や加速度など）が、入力ペンに設けられた例えば姿勢センサーや加速度センサーなどによって構成される検出手段によって検出される。更に、検出手段によって検出された入力ペンの動作状態に応じて、端末本体の動作モードが選択手段によって選択される。選択手段によって選択される動作モードとしては、例えば、端末本体の電源部が通常のオン状態となる通常電力モード、端末本体の電源部の少なくとも一部がオフ状態となる低電力モード、端末本体の操作画面や操作部が右利き用のものとなる右利きモード、端末本体の操作画面や操作部が左利き用のものとなる左利きモードなどが設定される。
【００１１】
例えば、選択手段は、検出手段によって検出された動作状態に基づいて、入力ペンが使用中であるか否かを判定し、入力ペンが使用中でないと判定した場合には、動作モードとして、電源部の少なくとも一部がオフ状態となる低電力モードを選択する。よって、入力ペンが使用中でない場合にも電源部が通常のオン状態で維持されてしまうことによる無駄な消費電力の発生を低減できる。従って、例えば、無駄な消費電力の発生による、電源部を構成する電池の寿命の低下を抑制できる。
【００１２】
或いは、例えば、選択手段は、検出手段によって検出された動作状態に基づいて、入力ペンを使用している使用者の利き手を判定し、該判定した利き手に応じて、動作モードとして、右利きモード又は左利きモードを選択する。よって、使用者の利き手に応じて、端末本体の操作画面や操作部の操作機能を右利き用のものと左利き用のものとの間で切り替えることができる。従って、使用者の利便性を向上させることができ、実践上大変便利である。
【００１３】
このように、検出手段によって検出された入力ペンの動作状態に応じて、端末本体の動作モードが選択手段によって選択されるので、例えば使用者による入力ペンの使用状況や使用者の利き手などに応じて、端末本体の動作モードを適切に変更することができる。これにより、例えば無駄な消費電力の発生を低減したり、使用者の利便性を向上させたりすることが可能となる。
【００１４】
以上説明したように、本発明の携帯情報端末によれば、例えば入力ペンの使用状況や使用者の利き手などに応じて、端末本体の動作モードを適切に変更することができる。
【００１５】
本発明の携帯情報端末の一態様では、前記端末本体は、電源部を備え、前記選択手段は、前記検出手段によって検出された動作状態に基づいて、前記入力ペンが使用中であるか否かを判定する第１判定手段を有し、該第１判定手段によって前記入力ペンが使用中でないと判定した場合には、前記動作モードとして、前記電源部の少なくとも一部がオフ状態となる低電力モードを選択し、前記端末本体は、前記選択手段によって前記動作モードとして前記低電力モードが選択された場合には、前記電源部の少なくとも一部がオフ状態となるように、前記電源部を制御する電源制御手段を更に備える。
【００１６】
この態様によれば、入力ペンが使用中でない場合にも電源部が通常のオン状態で維持されてしまうことによる無駄な消費電力の発生を低減できる。従って、例えば、無駄な消費電力の発生による、電源部を構成する電池の寿命の低下を抑制できる。
【００１７】
本発明の携帯情報端末の他の態様では、前記端末本体は、操作画面を表示する表示部を備え、前記選択手段は、前記検出手段によって検出された動作状態に基づいて、前記入力ペンを使用している使用者の利き手を判定する第２判定手段を有し、該第２判定手段によって判定した利き手に応じて、前記動作モードとして、右利きモード又は左利きモードを選択し、前記端末本体は、前記選択手段によって前記右利きモードが選択された場合には、前記表示部が右利き用の操作画面を表示するように、且つ、前記選択手段によって前記左利きモードが選択された場合には、前記表示部が左利き用の操作画面を表示するように、前記表示部を制御する表示制御手段を更に備える。
【００１８】
この態様によれば、使用者の利き手に応じて、端末本体の操作画面を右利き用の操作画面と左利き用の操作画面との間で切り替えることができる。従って、使用者の利便性を向上させることができ、実践上大変便利である。
【００１９】
本発明の携帯情報端末の他の態様では、前記端末本体は、操作部を備え、前記選択手段は、前記検出手段によって検出された動作状態に基づいて、前記入力ペンを使用している使用者の利き手を判定する第２判定手段を有し、該第２判定手段によって判定された利き手に応じて、前記動作モードとして、右利きモード又は左利きモードを選択し、前記端末本体は、前記選択手段によって前記右利きモードが選択された場合には、前記操作部に右利き用の操作機能を割り当てると共に、前記選択手段によって前記左利きモードが選択された場合には、前記操作部に左利き用の操作機能を割り当てる割当手段を更に備える。
【００２０】
この態様によれば、使用者の利き手に応じて、端末本体の操作部に割り当てられる操作機能を右利き用の操作機能と左利き用の操作機能との間で切り替えることができる。従って、使用者の利便性を向上させることができ、実践上大変便利である。
【００２１】
本発明の携帯情報端末の他の態様では、前記検出手段は、前記入力ペンの加速度を検出する加速度センサー及び前記入力ペンの姿勢を検出する姿勢センサーの少なくとも１つを有する。
【００２２】
この態様によれば、加速度センサーによって検出される入力ペンの加速度、及び姿勢センサーによって検出される入力ペンの姿勢の少なくとも１つに基づいて、入力ペンの動作状態を確実に検出することができる。
【００２３】
本発明の作用及び他の利得は次に説明する発明を実施するための形態から明らかにされる。
【図面の簡単な説明】
【００２４】
【図１】第１実施形態に係る携帯情報端末の全体構成を示す斜視図である。
【図２】第１実施形態に係る携帯情報端末の構成を示すブロック図である。
【図３】第１実施形態に係る携帯情報端末における端末本体の動作モードの変更を説明するためのフローチャートである。
【発明を実施するための形態】
【００２５】
以下では、本発明の実施形態について図を参照しつつ説明する。
【００２６】
＜第１実施形態＞
第１実施形態に係る携帯情報端末について、図１から図３を参照して説明する。尚、以下では、本実施形態に係る携帯情報端末の構成及び動作を、方向を用いて適宜説明するが、この方向は、特に説明しない限り、本実施形態に係る携帯情報端末を使用する使用者の視点から見た場合の方向である。
【００２７】
図１は、本実施形態に係る携帯情報端末の全体構成を示す斜視図である。
【００２８】
図１において、本実施形態に係る携帯情報端末１は、本発明に係る「入力ペン」の一例としてのペン２００によって装置本体１００に情報を入力することが可能な携帯情報端末（ＰＤＡ：Personal Digital Assistant）である。尚、携帯情報端末１は、携帯電話、携帯音楽再生装置、携帯動画再生装置、携帯ナビゲーション装置などであってもよい。
【００２９】
図１において、携帯情報端末１は、表示部１１０及び筐体１２０を有する装置本体１００と、ペン２００とを備えている。
【００３０】
表示部１１０は、例えば電気泳動表示装置等の表示装置によって構成され、例えば文字や文章などのテキストデータや図形などのイメージデータなど、各種データを装置本体１００の表示領域１００Ａにおいて表示する。尚、表示部１１０は、例えば、液晶ディスプレイ、プラズマディスプレイ或いは有機ＥＬ（Electro-Luminescence）ディスプレイなどによって構成されてもよい。更に、表示部１１０は、端末本体１００に情報を入力するための、ペン２００によって操作することが可能な操作画面を表示する。尚、後に詳細に説明するように、表示部１１０は、ＵＩ（User Interface）制御部１５４（図２参照）による制御下で、操作画面として右利き用の操作画面又は左利き用の操作画面を表示する。
【００３１】
図１では図示を省略するが、ペン２００の位置や軌跡を検出するデジタイザー本体が表示部１１０に重なるように設けられている。デジタイザー本体が表示部１１０におけるペン２００の位置や軌跡を検出することで、ペン２００から装置本体１００に情報を入力することが可能となる。
【００３２】
筐体１２０は、例えば図２を参照して後述する電源部１４０、制御部１５０、受信部１６０など、携帯情報端末１を動作させるための各種ハードウェアを収容する筐体である。筐体１２０は、表示部１１０を外縁側から保持するように設けられている。
【００３３】
筐体１２０には、操作部１３０（即ち、操作部１３０ａ及び１３０ｂ）が設けられている。操作部１３０は、使用者が操作することにより、携帯情報端末１の電源の入切やページ送りなどの指示を入力する操作機能を有する操作ボタンである。図１に示す例では、操作部１３０ａ及び１３０ｂは、表示部１１０に対して互いに反対側に設けられている。即ち、操作部１３０ａは、表示部１１０の左側に設けられており、操作部１３０ｂは、表示部１１０の右側に設けられている。尚、図１では操作部１３０が２つ設けられている例を示したが、操作部１３０は３つ以上設けられていてもよい。また、後に詳細に説明するように、操作部１３０は、ＵＩ制御部１５４（図２参照）によって、右利き用の操作機能又は左利き用の操作機能が割り当てられる。
【００３４】
ペン２００は、表示部１１０に重なるように設けられたデジタイザー本体に対して情報を入力する棒状或いはペン状の入力デバイスである。ペン２００は、装置本体１００とは別体で設けられている。携帯情報端末１は、ペン２００によって入力される情報をデジタイザー本体によって特定し、この特定した情報を、表示部１１０によって表示したり、端末本体１００に設けられた外部記憶装置に記憶したりする。
【００３５】
ペン２００には、姿勢センサー２１０及び加速度センサー２２０が設けられている。尚、姿勢センサー２１０及び加速度センサー２２０は、本発明に係る「検出手段」の一例である。また、姿勢センサー２１０によって検出されるペン２００の姿勢、及び加速度センサーによって検出されるペン２００の加速度は、本発明に係る「入力ペンの動作状態」の一例である。
【００３６】
姿勢センサー２１０は、ジャイロセンサーを含んでなり、例えばペン２００の傾きなど、ペン２００の姿勢を検出可能に構成されている。
【００３７】
加速度センサー２２０は、ペン２００の加速度を検出可能に構成されている。
【００３８】
次に、本実施形態に係る携帯情報端末の構成について、図２を参照して説明を加える。
【００３９】
図２は、本実施形態に係る携帯情報端末の構成を示すブロック図である。
【００４０】
図２において、携帯情報端末１は、装置本体１００及びペン２００を備えている。装置本体１００は、表示部１１０、操作部１３０、電源部１４０、制御部１５０及び受信部１６０を備えている。ペン２００は、姿勢センサー２１０、加速度センサー２２０及び送信部２３０を備えている。
【００４１】
送信部２３０は、姿勢センサー２１０によって検出されたペン２００の姿勢、及び加速度センサー２２０によって検出されたペン２００の加速度を示す情報を、ペン動作情報として装置本体１００の受信部１６０に送信する。
【００４２】
受信部１６０は、送信部２３０から送信されたペン動作情報を受信する。
【００４３】
電源部１４０は、例えばニッケル−カドミウム系電池やリチウムイオン系電池などの、充電可能な２次電池を含んでなり、表示部１１０やデジタイザー本体などの装置本体１００を構成する各構成要素に電力を供給する。
【００４４】
制御部１５０は、ＣＰＵ（Central Processing Unit）、ＲＯＭ（Read Only Memory）及びＲＡＭ（Random Access Memory）を備え、例えば表示部１１０、操作部１３０、電源部１４０、受信部１６０、デジタイザー本体、外部記憶装置などの装置本体１００を構成する各構成要素を制御する。
【００４５】
制御部１５０は、動作モード選択部１５１、ＵＩ制御部１５４及び電源制御部１５５を備えている。
【００４６】
動作モード選択部１５１は、受信部１６０によって受信されたペン動作情報に基づいて、装置本体１１０の動作モードを選択する。動作モード選択部１５１によって選択される動作モードとしては、例えば、電源部１４０が通常のオン状態となる通常電力モード、電源部１４０の少なくとも一部がオフ状態となる低電力モード、表示部１１０に表示される操作画面や操作部１３０に割り当てられる操作機能が右利き用のものとなる右利きモード、表示部１１０に表示される操作画面や操作部１３０に割り当てられる操作機能が左利き用のものとなる左利きモードなどが設定されている。
【００４７】
動作モード選択部１５１は、本発明に係る「第１判定手段」の一例である使用状況判定部１５２及び本発明に係る「第２判定手段」の一例である利き手判定部１５３を有している。
【００４８】
使用状況判定部１５２は、受信部１６０によって受信されたペン動作情報に基づいて、ペン２００が使用中であるか否かを判定する。具体的には、使用状況判定部１５２は、ペン動作情報に基づいて、ペン２００の加速度が一定期間継続して発生していない場合（即ち、ペン２００の加速度が一定期間継続してゼロである場合）には、ペン２００が使用中でない（即ち、ペン２００が未使用である）と判定し、その他の場合（即ち、ペン２００の加速度が一定期間内に発生している場合）には、ペン２００が使用中であると判定する。尚、ペン２００が未使用である場合としては、例えば、使用者がペン２００を手から離して、机の上や端末本体１００の上に置いている場合が想定され、この場合、ペン２００の加速度は一定期間継続して発生しないと考えられる。
【００４９】
動作モード選択部１５１は、使用状況判定部１５２によってペン２００が未使用であると判定した場合には、低電力モードを選択し、使用状況判定部１５２によってペン２００が使用中であると判定した場合には、通常電力モードを選択する。
【００５０】
利き手判定部１５３は、受信部１６０によって受信されたペン動作情報に基づいて、ペン２００を使用している使用者の利き手を判定する。具体的には、利き手判定部１５３は、ペン動作情報に基づいて、ペン２００の姿勢が第１の所定範囲内で変化している場合には、使用者の利き手は右手である（即ち、使用者は右利きである）と判定し、ペン２００の姿勢が第２の所定範囲内で変化している場合には、使用者の利き手は左手である（即ち、使用者は左利きである）と判定する。尚、第１の所定範囲は、実験的、経験的、シミュレーション等により、使用者がペン２００を右手に持って使用した場合にペン２００の姿勢がとり得る範囲として予め設定される。また、第２の所定範囲は、実験的、経験的、シミュレーション等により、使用者がペン２００を左手に持って使用した場合にペン２００の姿勢がとり得る範囲として予め設定される。
【００５１】
動作モード選択部１５１は、利き手判定部１５３によって使用者は右利きであると判定した場合には、右利きモードを選択し、利き手判定部１５３によって使用者は左利きであると判定した場合には、左利きモードを選択する。
【００５２】
ＵＩ制御部１５４は、装置本体１００のユーザーインターフェースを制御する。具体的には、ＵＩ制御部１５４は、表示部１１０に右利き用の操作画面又は左利き用の操作画面を表示させたり、操作部１３０に右利き用の操作機能又は左利き用の操作機能を割り当てたりする。尚、右利き用の操作画面は、右利きの使用者にとって操作し易いように予め定められた操作画面であり、左利き用の操作画面は、左利きの使用者にとって操作し易いように予め定められた操作画面である。また、右利き用の操作機能は、右利きの使用者が操作部１３０を操作し易いように予め定められた操作機能であり、左利き用の操作機能は、左利きの使用者が操作部１３０を操作し易いように予め定められた操作機能である。ＵＩ制御部１５４は、動作モード選択部１５１によって右利きモードが選択された場合には、右利き用の操作画面を表示するように、表示部１１０を制御すると共に、操作部１３０に右利き用の操作機能を割り当てる。また、ＵＩ制御部１５４は、動作モード選択部１５１によって左利きモードが選択された場合には、左利き用の操作画面を表示するように、表示部１１０を制御すると共に、操作部１３０に左利き用の操作機能を割り当てる。
【００５３】
電源制御部１５５は、電源部１４０を制御する。具体的には、電源制御部１５５は、動作モード選択部１５１によって低電力モードが選択された場合には、電源部１４０の少なくとも一部がオフ状態となるように、電源部１４０を制御する。また、電源制御部１５５は、動作モード選択部１５１によって通常電力モードが選択された場合には、電源部１４０が通常のオン状態となるように、電源部１４０を制御する。
【００５４】
次に、本実施形態に係る携帯情報端末における端末本体の動作モードの変更について、図３を参照して説明する。
【００５５】
図３は、本実施形態に係る携帯情報端末における端末本体の動作モードの変更を説明するためのフローチャートである。
【００５６】
ここでは、動作モード選択部１５１によって選択される動作モードとして、上述した通常電力モード、低電力モード、右利きモード及び左利きモードが設定されている場合を例にとる。尚、動作モード選択部１５１によって選択される動作モードは、ここで例にとる通常電力モード、低電力モード、右利きモード及び左利きモードに限定されず、他の動作モードが設定されてもよい。
【００５７】
図３において、先ず、ペン２００の加速度が加速度センサー２１０によって検出される（ステップＳ１０）。
【００５８】
次に、ペン２００の姿勢が姿勢センサー２２０によって検出される（ステップＳ２０）。尚、ステップＳ２０に係る処理は、ステップＳ１０に係る処理と並行して或いは相前後して行われてもよい。
【００５９】
次に、姿勢センサー２１０によって検出されたペン２００の姿勢、及び加速度センサー２２０によって検出されたペン２００の加速度を示すペン動作情報が、送信部２６０によって受信部１６０に送信される（ステップＳ３０）。
【００６０】
次に、送信部２６０によって送信されたペン動作情報が、受信部１６０によって受信される（ステップＳ４０）。
【００６１】
次に、ペン動作情報に基づいて、ペン２００が使用中であるか否かが使用状況判定部１５２によって判定される（ステップＳ５０）。
【００６２】
ペン２００が使用中でない（即ち、未使用である）と判定された場合には（ステップＳ５０：Ｎｏ）、動作モード制御部１５１は、端末本体１０の動作モードとして、低電力モードを選択する（ステップＳ９０）。動作モード制御部１５１によって低電力モードが選択されると、電源制御部１５５は、電源部１４０の少なくとも一部がオフ状態となるように、電源部１４０を制御する（ステップＳ１２０）。よって、ペン２００が使用中でない場合にも電源部１４０が通常のオン状態で維持されてしまうことによる無駄な消費電力の発生を低減できる。従って、無駄な消費電力の発生による、電源部１４０を構成する電池の寿命の低下を抑制できる。
【００６３】
一方、ペン２００が使用中であると判定された場合には（ステップＳ５０：Ｙｅｓ）、動作モード制御部１５１は、端末本体１０の動作モードとして、通常電力モードを選択する。動作モード制御部１５１によって通常電力モードが選択されると、電源制御部１５５は、電源部１４０の通常のオン状態となるように、電源部１４０を制御する。
【００６４】
更に、この場合（ステップＳ５０：Ｙｅｓ）には、ペン動作情報に基づいて、ペン２００を使用している使用者の利き手が利き手判定部１５３によって判定される（ステップＳ６０）。
【００６５】
使用者の利き手は右手である（即ち、使用者は右利きである）と判定された場合には（ステップＳ６０：Ｙｅｓ）、動作モード制御部１５１は、端末本体１０の動作モードとして、右利きモードを選択する（ステップＳ７０）。動作モード制御部１５１によって右利きモードが選択されると、ＵＩ制御部１５４は、右利き用の操作画面を表示するように、表示部１１０を制御すると共に、操作部１３０に右利き用の操作機能を割り当てる（ステップＳ１００）。
【００６６】
一方、使用者の利き手は左手である（即ち、使用者は左利きである）と判定された場合には（ステップＳ６０：Ｎｏ）、動作モード制御部１５１は、端末本体１０の動作モードとして、左利きモードを選択する（ステップＳ８０）。動作モード制御部１５１によって左利きモードが選択されると、ＵＩ制御部１５４は、左利き用の操作画面を表示するように、表示部１１０を制御すると共に、操作部１３０に左利き用の操作機能を割り当てる（ステップＳ１１０）。
【００６７】
このように、本実施形態では、使用者の利き手に応じて、表示部１１０に表示される操作画面を右利き用の操作画面と左利き用の操作画面との間で切り替えると共に、操作部１３０に割り当てられる操作機能を右利き用の操作機能と左利き用の操作機能との間で切り替えることができる。従って、使用者の利便性を向上させることができ、実践上大変便利である。
【００６８】
以上説明したように、本実施形態に係る携帯情報端末１によれば、ペン２００の使用状況や使用者の利き手に応じて、端末本体１００の動作モードを適切に変更することができる。
【００６９】
尚、例えば、受信部１６０によって受信されたペン動作情報を、端末本体１００が備える外部記憶装置に蓄積し、この蓄積したペン動作情報に基づいて、使用者の特徴（即ち、ペン２００を使用する使用パターン或いは癖）を推定し、この推定した使用者の特徴に応じて動作モードを選択するようにしてもよい。この場合には、使用者の利便性をより一層向上させることができる。
【００７０】
本発明は、上述した実施形態に限られるものではなく、特許請求の範囲及び明細書全体から読み取れる発明の要旨或いは思想に反しない範囲で適宜変更可能であり、そのような変更を伴う携帯情報端末もまた本発明の技術的範囲に含まれるものである。
【符号の説明】
【００７１】
１００…装置本体、１１０…表示部、１２０…筐体、１３０、１３０ａ、１３０ｂ…操作部、１４０…電源部、１５０…制御部、１５１…動作モード選択部、１５２…使用常用判定部、１５３…利き手判定部、１５４…ＵＩ制御部、１５５…電源制御部、１６０…受信部、２００…ペン、２１０…姿勢センサー、２２０…加速度センサー、２３０…送信部、
【図１】
2011232806.tif 000003
【図２】
2011232806.tif 000004
【図３】
2011232806.tif 000005